(57)【要約】【課題】底部（４）及び側板（２）を備える容器（１００）と配合して使用される容器蓋（１）において、容器蓋（１）が四つの角部（１０）を有し、容器蓋（１）の上面から一体に上へ突起される制限突起（１１）が角部（１０）ごとに設けられ、少なくとも１つの制限突起（１１）には、前記容器蓋（１）と容器（１００）とをロックするためのロック装置（３）が設けられている。該構造は、蓋と箱体とのロック装置を積畳み制限構造の上に置き、もはや容器のスペースを下へ占めないうえに、操作が簡便になり、優良な構造強度を提供する。【選択図】図２
2019521925.tif 000002
【特許請求の範囲】
【請求項１】
底部及び側板を備える容器と配合して使用される容器蓋において、前記容器蓋が四つの角部を有し、前記容器蓋の上面から一体に上へ突起する制限突起が角部ごとに設けられ、そのうち、少なくとも１つの前記制限突起には、前記容器蓋と容器とをロックするためのロック装置が設けられている。好ましくは、前記容器は、大型容器である。好ましくは、前記制限突起の本体部は、前記側板の内側に位置する。好ましくは、二つの前記制限突起には、前記ロック装置が設けられ、前記ロック装置が設けられた前記二つの制限突起は、同一の側板の上方に位置する。好ましくは、前記制限突起ごとには、前記ロック装置が設けられることを特徴とする容器蓋。
【請求項２】
前記ロック装置が駆動体とロック体とを含み、前記制限突起の上面には、凹溝が設けられ、前記駆動体は、可動的に前記凹溝に取り付けられ、前記ロック体は、前記駆動体に接続され、容器の側板内に伸び込むことにより、前記容器蓋と前記容器とを互いにロックすることができることを特徴とする請求項１に記載の容器蓋。
【請求項３】
前記制限突起は、前記側板の内側に位置する本体部と、前記本体部から容器の外側へ伸びる延在部とを含み、そのうち、前記ロック装置が駆動体とロック体とを含み、前記本体部の上面には、前記駆動体を受けるための凹溝が設けられ、前記延在部の端面には、前記凹溝に連通され、前記ロック体を受けるためのラッチ孔が設けられる。好ましくは、前記延在部は、前記側板の上方に位置する。好ましくは、各前記制限突起の前記延在部は、同じ方向又は反対方向に延在することを特徴とする請求項１に記載の容器蓋。
【請求項４】
前記ロック体がラッチとボルトとを含み、前記蓋には、ボルト挿入孔を設置した保護辺が設けられ、前記側板には、ボルト受け孔が設けられ、前記ボルトは、前記ボルト挿入孔を通じて前記ボルト受け孔内に伸び込むことにより、前記容器蓋と側板とをロックすることができる。好ましくは、前記ラッチは、前記ボルトと一体に形成されることを特徴とする請求項３に記載の容器蓋。
【請求項５】
前記ラッチには、第１部分と第２部分とが備えられ、前記第１部分と前記第２部分とは、「Ｌ」字形状の構成に形成され、そのうち、前記第１部分は、前記ラッチ孔内に伸び込み、前記第２部分には、ボルトが設けられる。好ましくは、前記ラッチ孔と前記ボルト挿入孔との間には、凹部が設けられ、前記ラッチの第２部分は、前記凹部内に位置することを特徴とする請求項４に記載の容器蓋。
【請求項６】
二つの前記制限突起には、前記ロック装置が設けられ、前記二つの制限突起における前記ロック装置と配合されるボルト受け孔は、同一の側板に位置する。好ましくは、ボルト受け孔が設けられる他側の側板には、掛け孔が設けられ、容器蓋の対応位置には、前記掛け孔と配合するフックが設けられ、前記フックと掛け孔との配合、及び前記二つのロック装置のボルトとボルト受け孔との配合により、前記容器蓋が容器の側板にロックされることを特徴とする請求項４に記載の容器蓋。
【請求項７】
前記駆動体は、底部と前記底部から一体に上へ伸びる突出部とを含み、前記突出部の側面には、リセットスプリングシートが設けられる。好ましくは、前記駆動体には、前記底部から一体に上へ伸びる駆動ピンがさらに設けられ、前記ロック体のラッチには、駆動孔が設けられ、前記駆動ピンが前記駆動孔内に挿入されることにより、前記駆動体が前記ロック体に接続されることを特徴とする請求項１に記載の容器蓋。
【請求項８】
前記底部には、前記制限突起と配合するピットが設けられ、複数の容器が積み畳まれる場合、下層の容器の容器蓋における制限突起が上層の容器の底部におけるピットに収容されることにより、上、下の二つの容器が互いに固定される。好ましくは、前記ピットと前記制限突起との間には、上層の容器の積畳み操作を便利にするよう隙間があることを特徴とする請求項１に記載の容器蓋。
【請求項９】
前記制限突起は、前記側板の内側に位置する本体部と、前記本体部から容器の外側へ伸びる延在部とを含み、前記本体部の上面には、凹溝が設けられ、
前記ロック装置は、前記凹溝に可動的に取り付けられる駆動体とロック体とを備え、
前記蓋には、保護辺が設けられ、前記ロック体は、ラッチとボルトとを含み、前記延在部の端面には、前記ロック体を受けるためのラッチ孔が設けられ、前記保護辺には、ボルト挿入孔が設けられ、前記容器の側板には、ボルト受け孔が設けられ、前記ラッチは、前記ラッチ孔を通じて前記凹溝内に伸び込むことにより、前記駆動体に接続され、前記ボルトは、前記ボルト挿入孔を通じて前記ボルト受け孔内に伸び込み、
前記駆動体が駆動されることにより、前記ボルトが前記ボルト受け孔内に伸び込むこと又は前記ボルト受け孔内から引き抜くことは可能になり、前記容器蓋と前記容器とのロック及びアンロックは達成されることを特徴とする請求項１に記載の容器蓋。
【請求項１０】
底部及び側板を備える容器において、請求項１〜９のいずれか１項に記載の容器蓋を更に備えることを特徴とする容器。
【発明の詳細な説明】
【技術分野】
【０００１】
本発明は、物流輸送の分野に関し、具体的には、容器蓋及び容器に関するものである。
【背景技術】
【０００２】
工業生産では、複合材料により製造された大型容器を用いて品物を包装し、輸送して保存するのが通常の方法であり、これらの容器は、大部がプラスチック製の側板と底とを有し、側板と底に金属パイプが配置して補強される。液体の品物を収納することが必要である場合には、敷き袋を箱体に敷設してから液体の品物を敷き袋に充填することができる。品物をよく収納した後、品物が雨及び塵埃などにより汚れられないように、常に、容器の上に蓋を置いて箱体内の品物を保護する。なお、容器が折畳み可能なものであるか折り畳み不可のものであるかに関わらず、箱体に接続される蓋は常に全体的な強度に対してかなりのサポートを提供でき、液体の品物が箱体内に収納される場合、液体は、衝突、急加速や減速などの輸送中の状況により、箱体内に激しく揺らいでしまう。この場合、蓋は、液体の揺らぎ振幅を効果的に減少させることができるので、敷き袋が過度の力で破裂しなく、液体の品物の安全も保証される。蓋は、二つの容器が互いに積み畳まれる場合に上層の容器が各水平方向に移動することを制限して上層の容器が容易に倒れないように、大型容器に対してさらに機能する。
【０００３】
図１０は、従来において古典的な蓋の斜視図である。図１０に示すように、蓋の四周には、容器の口部の四周に締められる１輪の保護辺と、四つの手動的に操作される蓋ロックと、が有され、蓋ロックには、蓋と箱体とを接続することにより蓋が内部の液体による衝撃を抵抗できるような横ラッチが有される。二つの容器を積み畳んで使用することが必要である場合、容器の底部における脚と蓋に突起される積畳みストッパーとは、大体に当接して、下層の箱体に対する上層の箱体の積畳みを安定させる。このような構造の方案による蓋は、容器の機能需要をある程度満足したが、手動的に操作されるロックは、使用不便であり、積畳みストッパー構造が上へ突起し蓋ロックの取付構造が下へ凹むことは、箱体の折畳み高さ又は側板の上部構造に対して悪く影響してしまう。
【０００４】
特許文献１には、新たな蓋ロック構造が開示されており、このような弾性リセット付きのロック構造は、上記方案における蓋ロックの不便を改善し、操作が簡便であるが、これは、依然に下へ凹む蓋の空間により構造放置を達成することが必要とする。
【０００５】
なお、実際の使用及び試験データによると、蓋上のロック構造は、箱体の上隅に近ければ近いほど、そのロック機能が安定であり、これは、使用中に、容器の頂角の変形量が他の位置より小さいので、ロック構造のロック効果も比較的に安定であり、また蓋の構造から見ると、ロック構造が四つの頂角に近い位置にあるときに、箱体内の液体による衝撃を抵抗する蓋の強度が最も強いことからである。しかしながら、容器には、互いに積畳み機能需要があるので、上層の容器の底脚としては、下層の容器の上に置くことが必要とし、これにより、蓋の頂角に近い位置（即ち、容器の頂端における四つの底脚の真下）は主な受力部位になり、従来の方案は、いずれもこの部位を避けてロック構造を配置しない。また、ロック構造が頂角に位置されないときに蓋の強度不足を補うために、市販のある製品には、蓋の４つの辺にロック構造を設ける方法が採用されることにより、蓋の使用操作が極めて不便利になる。
【先行技術文献】
【特許文献】
【０００６】
【特許文献１】中国特許出願公開第１０４５９０７８７号明細書
【発明の概要】
【発明が解決しようとする課題】
【０００７】
そこで、本発明は、上記従来技術に存在する課題を解決するための容器蓋及びその容器を提供することを目的とする。
【課題を解決するための手段】
【０００８】
上記の技術課題を解決するために、以下の構成によって把握される。
【０００９】
本発明の一方面によれば、底部及び側板を備える容器と配合して使用される容器蓋において、前記容器蓋が四つの角部を有し、前記容器蓋の上面から一体に上へ突起する制限突起が角部ごとに設けられ、そのうち、少なくとも１つの前記制限突起には、前記容器蓋と容器とをロックするためのロック装置が設けられている容器蓋を提供する。
【００１０】
好ましくは、前記容器は、大型容器である。
【００１１】
好ましくは、前記制限突起の本体部は、前記側板の内側に位置する。
【００１２】
好ましくは、二つの前記制限突起には、前記ロック装置が設けられ、前記ロック装置が設けられた前記二つの制限突起は、同一の側板の上方に位置する。
【００１３】
好ましくは、前記制限突起ごとには、前記ロック装置が設けられる。
【００１４】
好ましくは、前記ロック装置には、駆動体とロック体とが備えられ、前記制限突起の上面には、凹溝が設けられ、前記駆動体は、可動的に前記凹溝に取り付けられ、前記ロック体は、前記駆動体に接続され容器の側板内に挿入されることにより、前記容器蓋と前記容器とを互いにロックすることができる。
【００１５】
好ましくは、前記制限突起には、前記側板の内側に位置する本体部と、前記本体部から容器の外側へ伸びる延在部とが備えられ、そのうち、前記ロック装置には、駆動体とロック体とが備えられ、前記本体部の上面には、前記駆動体を受けるための凹溝が設けられ、前記延在部の端面には、前記凹溝に連通され、前記ロック体を受けるためのラッチ孔が設けられる。
【００１６】
好ましくは、前記延在部は、前記側板の上方に位置する。
【００１７】
好ましくは、各前記制限突起の前記延在部は、同じ方向又は反対方向に延在する。
【００１８】
好ましくは、前記ロック体がラッチとボルトとを含み、前記蓋には、ボルト挿入孔を設置した保護辺が設けられ、前記側板には、ボルト受け孔が設けられ、前記ボルトは、前記ボルト挿入孔を通じて前記ボルト受け孔内に伸び込むことにより、前記容器蓋と側板とをロックすることができる。
【００１９】
好ましくは、前記ラッチは、前記ボルトと一体に形成される。
【００２０】
好ましくは、前記ラッチには、第１部分と第２部分とが備えられ、前記第１部分と前記第２部分とは、「Ｌ」字形状の構成に形成され、そのうち、前記第１部分は、前記ラッチ孔内に伸び込み、前記第２部分には、ボルトが設けられる。
【００２１】
好ましくは、前記ラッチ孔と前記ボルト挿入孔との間にある前記保護辺には、凹部が設けられ、前記ラッチの第２部分は、前記凹部内に位置する。
【００２２】
好ましくは、二つの前記制限突起には、前記ロック装置が設けられ、前記ロック装置が設けられた前記二つの制限突起は、前記容器蓋の同一側に位置し、そのうち、当該二つの制限突起の延在部は、同一方向に延在する。
【００２３】
好ましくは、前記駆動体には、底部と前記底部から一体に上へ伸びる突出部が設けられ、前記突出部の側面には、リセットスプリングシートが設けられる。
【００２４】
好ましくは、前記駆動体には、前記底部から一体に上へ伸びる駆動ピンが設けられ、前記ロック体のラッチには、駆動孔が設けられ、前記駆動ピンが前記駆動孔内に挿入されることにより、前記駆動体が前記ロック体に接続される。
【００２５】
好ましくは、前記底部には、前記制限突起と配合するピットが設けられ、複数の容器が積み畳まれる場合、下層の容器の容器蓋における制限突起が上層の容器の底部におけるピットに収容されることにより、上、下の二つの容器が互いに固定される。
【００２６】
好ましくは、前記ピットと前記制限突起との間には、上層の容器の積畳み操作を便利にするよう隙間がある。
【００２７】
好ましくは、前記制限突起には、前記側板の内側に位置する本体部と、前記本体部から容器の外側へ伸びる延在部とが備えられ、前記本体部の上面には、凹溝が設けられ，前記ロック装置には、前記凹溝に可動的に取り付けられる駆動体とロック体とが備えられ，前記蓋には、保護辺が設けられ、前記ロック体がラッチとボルトとを含み、前記延在部の端面には、前記ロック体を受けるためのラッチ孔が設けられ、前記保護辺には、ボルト挿入孔が設けられ、前記容器の側板には、ボルト受け孔が設けられ、前記ラッチは、前記ラッチ孔を通じて前記凹溝内に伸び込むことにより、前記駆動体に接続され、前記ボルトは、前記ボルト挿入孔を通じて前記ボルト受け孔内に伸び込み、前記駆動体が駆動されることにより、前記ボルトが前記ボルト受け孔内に伸び込むこと又は前記ボルト受け孔内から引き抜くことは可能になり、前記容器蓋と前記容器とのロック及びアンロックは達成される。
【００２８】
本発明の他の方面によれば、底部、側板及び上記容器蓋が備えられる容器を更に提供する。
【発明の効果】
【００２９】
本発明は、大型容器の利点及び不備を蓋構造にまとめ、蓋と箱体とのロック構造を積畳み制限構造に巧みに置き、もはや容器のスペースを占めないうえに、操作が簡便になり、優良な構造強度を提供することができる。
【図面の簡単な説明】
【００３０】
【図１】図１は、本発明に係る容器の斜視図である。
【図２】図２は、本発明に係る容器の分解斜視図である。
【図３】図３は、本発明に係る容器の他の斜視図であり、それが容器の底部を示している。
【図４】図４は、本発明に係る容器蓋の平面図である。
【図５】図５は、本発明に係る容器蓋のロック装置の分解斜視図である。
【図６】図６は、本発明に係るロック装置の駆動体の斜視図である。
【図７】図７は、本発明に係るロック装置のロック体の斜視図である。
【図８】図８は、本発明に係る積み畳まれた二つの容器の斜視図である。
【図９】図９は、本発明に係る容器の一部の断面図である。
【図１０】図１０は、従来技術における容器蓋の斜視図である。
【発明を実施するための形態】
【００３１】
以下、本発明の目的、特徴及び利点をより明確に理解するために、添付図面を参照して、本発明の好適な実施形態について詳細に説明する。添付図面に示す実施形態は、本発明の範囲を限定するものではなく、単に本発明の技術案の実質精神を説明するためのものであると理解されるべきである。
【００３２】
本発明に係る容器蓋は、通常に容器と配合して使用されるものであり、該容器がベースと側板とを備え、容器蓋が四つの角部を有し、角部ごとには、容器蓋の上面から一体に上へ突起される制限突起が設けられ、そのうち、少なくとも１つの制限突起には、容器蓋と容器とをロックするためのロック装置が設けられている。
【００３３】
以下、図面を参照しながら、本発明に係る容器蓋を実施するための形態について詳細に説明する。
【００３４】
本発明において、容器とは、一般的に大型複合バルクコンテナであり、それは、側板が底部に対して折畳み可能である折畳み可能な容器であってもよいし、側板と底部とが一体に形成する一体式箱体であってもよく、以下、一体式箱体を例として説明する。
【００３５】
図１は、本発明に係る容器の斜視図であり、図２は、本発明に係る容器の分解斜視図であり、図３は、本発明に係る容器の他の斜視図であり、それが容器の底部を示しており、図１〜３に示すように、本発明に係る容器１００は、容器蓋１（以下、蓋１と略称する）と容器本体（以下、本体と略称する）とを備え、蓋１は、本体にクラッチ可能に設けられ、そのうち、本体には、底部４と底部４に設けられる側板２とが備えられる。本実施例において、単に一体式箱体を例として説明するので、側板２と底部４とは、一体に形成されている。しかしながら、当業者であれば、容器１００は、側板２が底部４に対して折畳み可能である折畳み可能な容器であってもよいことを理解すべきであり、この場合、底部４は、ベースであってもよく、関連の構造については、公開番号がＣＮ１０４９４４０１２Ａである中国特許を参照してもよい。
【００３６】
図４は、本発明に寄る容器蓋１の平面図であり、図１〜４に示すように、蓋１の４つの角部１０（図２において点線により囲まれた領域）には、それぞれに、蓋１の上面から一体に上へ突起される制限突起１１が設けられ、本発明においては、角部１０の長さが１５０〜３００ｍｍであり、角部１０の幅が１００〜２００ｍｍである。
【００３７】
制限突起１１には、側板２の内側に位置する本体部１１１と、延在部１１２とが備えられ、即ち、制限突起１１の本体部は、箱体の側板の肉厚２２の真上から避けられ、延在部１１２は、本体部１１１から容器の外側へ延在して形成される。図２の分解図から見ると、箱体２の側板がある程度の肉厚２２を有するので、上層の容器が積み畳まれる場合、蓋と側板の肉厚２２の上方とが接触する領域は、力を伝達して力を受ける主要部位になる。
【００３８】
ある好ましい実施の形態において、本体部１１１は、それが位置する角部の側板の蓋の二つの辺に平行するように設けられ、延在部１１２は、前記本体部１１１に垂直するように容器の外側へ延在され、そのうち、延在部１１２は、側板２の厚さ２２に跨って、即ち、延在部１１２は、側板２の上方に位置する。
【００３９】
好ましくは、本体部１１１は、矩形ブロックの形状を有し、それぞれ容器の４つの側板２に平行する４つの側面を有しており、そのうち、最も制限突起に寄る容器の側板の外面と制限突起において該側板に隣接する側面との距離は、該側板の厚さの２／３以上である。
【００４０】
図４は、本発明に係る容器蓋の平面図であり、図５は、本発明に係る容器蓋のロック装置の分解斜視図であり、図６は、本発明に係るロック装置の駆動体の斜視図であり、図１〜６に示すように、制限突起１１には、ロック装置３が設けられている。ロック装置３には、駆動体３１とロック体３２が設けられ、制限突起１１の上面には、駆動体３１を収容するための凹溝１１０が設けられ、駆動体３１は、可動的に凹溝１１０に取り付けられる。ロック体３２には、第１部分３２１１及び第２部分３２１２を有するラッチ３２１と、ボルト３２２と、が備えられ、第１部分３２１１と第２部分３２１２とは、「Ｌ」形構造のラッチ３２１を形成し、ボルト３２２は、第２部分３２１２に設けられ、好ましくは、ラッチ３２１とボルト３２２とは、一体に形成される。そのうち、ラッチ３２１の第１部分３２１１の上面には、駆動体３１の駆動ピン３１３に配合することにより駆動体３１をロック体３２に接続するための駆動孔３２１３が設けられ、以下、これについて詳細に説明する。
【００４１】
図２に示すように、蓋１の四周には、蓋の本体部を取り囲み下へ延在する保護辺１２が設けられ、蓋１２が容器本体に取り付けられる場合、保護辺１２は、容器本体の四周の側板を囲む。制限突起１１の延在部１１２において本体部１１１と対向する端面には、延在部１１２を貫通して凹溝１１０に連通するラッチ孔１１３が設けられる。ラッチ孔１１３の下方の蓋１の保護辺１２には、蓋１の保護辺１２を貫通するボルト挿入孔１２１が設けられ、そのうち、ボルト挿入孔１２１は、ラッチ孔１１３と大体に平行する。側板２においてボルト挿入孔１２１に対応する位置には、ボルト受け孔２１が設けられ、蓋１が容器本体に取り付けられる場合、ロック体３２のボルト３２２は、ボルト挿入孔１２１を貫通して、ボルト受け孔２１内に伸び込むことが可能になる。ボルト挿入孔１２１とラッチ孔１１３とは、凹部１２２により接続され、取付中には、ラッチ３２１は、第１部分３２１１がラッチ孔１１３内に収容され、第２部分３２１２が凹部１２２内に位置する。
【００４２】
図５に示すように、駆動体３１は、底部３１１と突出部３１２とを備え、駆動体３１は、略三角形の形状を呈し、広端と狭端とを有しており、そのうち、突出部３１２は、底部３１１から（図５に示す位置に対して）上へ突出され、突出部３１２の面積が底部３１１の面積より小さいことにより、底部３１１に譲り領域３１３が残されており、底部３１１の譲り領域３１３において広端に寄る位置には、駆動体３１における駆動孔３２１３に配合するための駆動ピン３１４が設けられ、即ち、駆動ピン３１４を駆動孔３２１３内に挿入して駆動体３１をロック体３２に接続することにより、ロック体３１は、駆動体３１によって運動駆動できる。突出部３１２において狭端による位置には、接続体に配合することにより駆動体を凹溝１１０内に取り付けるための接続孔３１５が設けられ、以下、これについて詳細に説明する。突出部３１２において取付中に容器の外側に面する側面には、駆動体の運動アンロックを操作する時に駆動体をリセットするためのリセットスプリングシート３１６が設けられ、対応的には、突出部３１２においてリセットスプリングシート３１６に対向する側には、駆動体３１を操作する時に手で把握することを便利にするための把握凹み口３１７が設けられる。
【００４３】
図４に示すように、同様に、凹溝１１０は、略三角形の形状を呈し、広端と狭端とを有しており、凹溝１１０の底部において狭端による位置には、位置決め体１１４が設けられ、本実施例において、位置決め体１１４は、凹溝１１０の底面から一体に突出される突出ブロックであり、駆動体３１を取り付ける場合、駆動体３１における接続孔３１５は、位置決め体１１４と回動可能に配合され、即ち、位置決め体１１４は、接続孔３１５内に回動可能に挿入されることにより、駆動体３１が凹溝１１０内に取り付けられる。
【００４４】
図８は、本発明に係る積み畳まれた二つの容器の斜視図であり、図９は、本発明に係る容器の一部の断面図であり、図２及び図８〜９に示すように、底部４には、ピット４１が設けられ、容器Ｃ１とＣ２（容器Ｃ１とＣ２は、いずれも本発明に係る容器１１０である。）が積み畳まれた場合、上層の容器Ｃ１の底部におけるピット４１と下層の容器Ｃ２における制限突起１１とが配合することにより、容器Ｃ１とＣ２が互いに位置決められる。
【００４５】
図９に示すように、取付中、駆動体３１は凹溝１１０内に位置し、凹溝１１０における位置決め体１１４は、駆動体３１の接続孔３１５に収納され、駆動体３１の駆動ピン３１４は、ロック体３２の駆動孔３２１３内に挿入することにより、駆動体３１を蓋１に接続し、ロック体３２を駆動体３１に接続し、そのうち、ロック体３２のラッチ３２１の第１部分３２１１は、ラッチ孔１１３に収納され、ロック体３２のラッチ３２１の第２部分３２１２は、蓋１の凹部１２２内に位置し、ボルト３２２は、ボルト挿入孔１２１を通じて側板２におけるボルト受け孔２１に伸び込むことにより、蓋１と容器の側板とを互いにロックする。
【００４６】
図８〜９に示すように、上下両層の容器Ｃ１とＣ２（（容器Ｃ１とＣ２は、いずれも本発明に係る容器１１０である。）が積み畳まれた場合、制限突起１１は、ピット４１に完全的に収容され、そのうち、ロック装置が制限突起１１上に位置しているので、ロック装置３もピット４１内に収容されており、好ましくは、上層の容器Ｃ１の積畳み操作を便利にするように、制限突起１１とピット４１との間には隙間がある。
【００４７】
図７に示すように、容器１００の底部に設けられるピット４１は、制限突起１１の位置に対応しており、２つの容器が互いに積み畳まれる場合、図８、９に示すように、ピット４１は、制限突起１１に嵌合されると共に、四周にある程度の隙間を残すことにより上層の容器の積畳み操作を便利にする。また、蓋１の制限突起１１における駆動体３１の駆動ピン３１４とロック体３２における駆動孔３２１３とは、互いに接続されることにより、ボルトのロック及びアンロック操作が達成される。ボルト３２２は、箱体２の側板の凹溝２１に挿入して蓋１と側板２とをロックすることができる。蓋１における駆動体３１とロック体３２のラッチ３２１の第１部分３２１１とは、いずれも、大体に制限突起１１の構成空間内に設けられるので、蓋１の内側面は、スムーズに保持でき、容器１００の上方の受け面の構造を破壊する必要がない。
【００４８】
発明の好適な蓋１のロック構成の方案は、ボルト３２２が容器１００の側板２の表面から垂直的に凹溝２１に挿入され、ボルト３２２の下部にガイド斜面３２３が設けられ、駆動体３１にリセットスプリングシート３１６が設けられるというものである。ボルト３２２のガイド斜面により、蓋１はよく置かれない場合でも、多層の容器が積み畳まれた時に圧し潰されなく、リセットスプリングシート３１６は、ロック体３２のラッチ３２１が常にロック状態の位置にあることを保持している。なお、ロック装置が対向する容器の二つの対向側に設けられるので、一側にある二つのロック装置がいずれもアンロックされた場合、蓋１を開いて他側へ押すことにより、蓋１のアンロック操作が速やかに達成できる。
【００４９】
上記の実施例は、四つの制限突起１１にいずれもロック装置が設けられることに対するものであるが、本発明の他の実施例によれば、ロック装置は、単にそのうちの二つの制限突起に設けられてもよく、且つ、ロック装置が設けられる該二つの制限突起は、容器の同一側に位置し、即ち、該二つのロック装置のボルトを受けるためのボルト受け孔は、同一の側板に位置され、この場合、ボルト受け孔が設けられる他側の側板には、掛け孔も設けられると共に、他側の容器蓋の対応位置には、フックが設けられ、他側のフックと掛け孔との配合、及び該二つのロック装置のボルトとボルト受け孔との配合により、容器蓋を容器の側板にロックすることが可能になる。このような実施形態において、アンロックが必要とする場合、ロック装置が設けられた一側に駆動体を操作して、ボルトをボルト受け穴から引き抜き、ロック装置が設けられない他側へ容器蓋を押すことにより、掛け孔から他側のフックを引き抜くことが達成でき、アンロックが達成できる。
【００５０】
上記の実施例において二つの制限突起又は全ての制限突起にロック装置を設けることについて説明したが、当業者であれば、単に１つの制限突起にロック装置を設けることも可能であり、この場合、従来技術に存在する問題もある程度解決することができるが、この場合は、二つの制限突起または四つの制限突起にロック装置を設けることより好ましくない。
【００５１】
本発明は、大型容器の利点及び不備を蓋構造にまとめ、蓋と箱体とのロック構造を積畳み制限構造に巧みに置き、もはや容器のスペースを占めないうえに、操作が簡便になり、優良な構造強度を提供する。
【００５２】
以上、本発明の好適な実施形態については詳しく説明したが、当業者にとっては、本発明の上記内容を読んでから、本発明に対する様々な変形や変更が可能であることが理解すべきである。これらの同等の形態も本願添付の請求の範囲によって限定される範囲に含まれる。
【図１】
2019521925.tif 000003
【図２】
2019521925.tif 000004
【図３】
2019521925.tif 000005
【図４】
2019521925.tif 000006
【図５】
2019521925.tif 000007
【図６】
2019521925.tif 000008
【図７】
2019521925.tif 000009
【図８】
2019521925.tif 000010
【図９】
2019521925.tif 000011
【図１０】
2019521925.tif 000012
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
底部及び側板を備える容器と配合して使用される容器蓋において、前記容器蓋が四つの角部を有し、前記容器蓋の上面から一体に上へ突起する制限突起が角部ごとに設けられ、そのうち、少なくとも１つの前記制限突起には、前記容器蓋と容器とをロックするためのロック装置が設けられていることを特徴とする容器蓋。
【請求項２】
二つの前記制限突起には、前記ロック装置が設けられ、前記ロック装置が設けられた前記二つの制限突起は、同一の側板の上方に位置することを特徴とする請求項１に記載の容器蓋。
【請求項３】
前記制限突起ごとには、前記ロック装置が設けられることを特徴とする請求項１に記載の容器蓋。
【請求項４】
前記ロック装置が駆動体とロック体とを含み、前記制限突起の上面には、凹溝が設けられ、前記駆動体は、可動的に前記凹溝に取り付けられ、前記ロック体は、前記駆動体に接続され、容器の側板内に伸び込むことにより、前記容器蓋と前記容器とを互いにロックすることができることを特徴とする請求項１に記載の容器蓋。
【請求項５】
前記制限突起は、前記側板の内側に位置する本体部と、前記本体部から容器の外側へ伸びる延在部とを含み、そのうち、前記ロック装置が駆動体とロック体とを含み、前記本体部の上面には、前記駆動体を受けるための凹溝が設けられ、前記延在部の端面には、前記凹溝に連通され、前記ロック体を受けるためのラッチ孔が設けられることを特徴とする請求項１に記載の容器蓋。
【請求項６】
前記ロック体がラッチとボルトとを含み、前記蓋には、ボルト挿入孔を設置した保護辺が設けられ、前記側板には、ボルト受け孔が設けられ、前記ボルトは、前記ボルト挿入孔を通じて前記ボルト受け孔内に伸び込むことにより、前記容器蓋と側板とをロックすることができることを特徴とする請求項５に記載の容器蓋。
【請求項７】
前記ラッチには、第１部分と第２部分とが備えられ、前記第１部分と前記第２部分とは、「Ｌ」字形状の構成に形成され、そのうち、前記第１部分は、前記ラッチ孔内に伸び込み、前記第２部分には、ボルトが設けられることを特徴とする請求項６に記載の容器蓋。
【請求項８】
前記ラッチ孔と前記ボルト挿入孔との間には、凹部が設けられ、前記ラッチの第２部分は、前記凹部内に位置することを特徴とする請求項７に記載の容器蓋。
【請求項９】
二つの前記制限突起には、前記ロック装置が設けられ、前記二つの制限突起における前記ロック装置と配合されるボルト受け孔は、同一の側板に位置することを特徴とする請求項６に記載の容器蓋。
【請求項１０】
ボルト受け孔が設けられる他側の側板には、掛け孔が設けられ、容器蓋の対応位置には、前記掛け孔と配合するフックが設けられ、前記フックと掛け孔との配合、及び前記二つのロック装置のボルトとボルト受け孔との配合により、前記容器蓋が容器の側板にロックされることを特徴とする請求項６に記載の容器蓋。
【請求項１１】
前記駆動体は、底部と前記底部から一体に上へ伸びる突出部とを含み、前記突出部の側面には、リセットスプリングシートが設けられることを特徴とする請求項１に記載の容器蓋。
【請求項１２】
前記駆動体には、前記底部から一体に上へ伸びる駆動ピンがさらに設けられ、前記ロック体のラッチには、駆動孔が設けられ、前記駆動ピンが前記駆動孔内に挿入されることにより、前記駆動体が前記ロック体に接続されることを特徴とする請求項１１に記載の容器蓋。
【請求項１３】
前記底部には、前記制限突起と配合するピットが設けられ、複数の容器が積み畳まれる場合、下層の容器の容器蓋における制限突起が上層の容器の底部におけるピットに収容されることにより、上、下の二つの容器が互いに固定されることを特徴とする請求項１に記載の容器蓋。
【請求項１４】
前記制限突起は、前記側板の内側に位置する本体部と、前記本体部から容器の外側へ伸びる延在部とを含み、前記本体部の上面には、凹溝が設けられ、
前記ロック装置は、前記凹溝に可動的に取り付けられる駆動体とロック体とを備え、
前記蓋には、保護辺が設けられ、前記ロック体は、ラッチとボルトとを含み、前記延在部の端面には、前記ロック体を受けるためのラッチ孔が設けられ、前記保護辺には、ボルト挿入孔が設けられ、前記容器の側板には、ボルト受け孔が設けられ、前記ラッチは、前記ラッチ孔を通じて前記凹溝内に伸び込むことにより、前記駆動体に接続され、前記ボルトは、前記ボルト挿入孔を通じて前記ボルト受け孔内に伸び込み、
前記駆動体が駆動されることにより、前記ボルトが前記ボルト受け孔内に伸び込むこと又は前記ボルト受け孔内から引き抜くことは可能になり、前記容器蓋と前記容器とのロック及びアンロックは達成されることを特徴とする請求項１に記載の容器蓋。
【請求項１５】
底部及び側板を備える容器において、請求項１〜１４のいずれか１項に記載の容器蓋を更に備えることを特徴とする容器。
【国際調査報告】
2019521925.tif 000013
2019521925.tif 000014
2019521925.tif 000015
2019521925.tif 000016